(57)【要約】【課題】ＬＥＤ等の発光素子を点灯させて暗い空間中に立体造形を幻想的に浮かび上がらせることにより芸術性に優れた表現を可能とする、新規な立体造形表示装置を提供する。【解決手段】本発明の立体造形表示装置１００は、平行に延びる一対の細径導線の組１１を空間Ｓ中に多数組張設してなる細径導線群１０と、前記空間Ｓ中に立体造形Ｃを表示するために必要な位置にそれぞれ位置するように、前記一対の細径導線間にそれぞれ架設された複数の発光素子１５と、前記一対の細径導線の組１１をそれぞれ支持して前記空間Ｓ中に張設する支持手段１２，１３と、前記一対の細径導線の組１１にそれぞれ電力を供給して前記発光素子を発光させる電力供給手段１６とを備える。【選択図】図１
2011171242.tif 000002
【特許請求の範囲】
【請求項１】
空間中に配設した複数の発光素子を点灯させて立体造形を表示する装置であって、
平行に延びる一対の細径導線の組を前記空間中に多数組張設してなる細径導線群と、
前記空間中に前記立体造形を表示するために必要な位置にそれぞれ位置するように、前記一対の細径導線間にそれぞれ架設された複数の発光素子と、
前記一対の細径導線の組をそれぞれ支持して前記空間中に張設する支持手段と、
前記一対の細径導線の組にそれぞれ電力を供給して前記発光素子を発光させる電力供給手段と、を備えることを特徴とする発光素子を用いて空間中に立体造形を表示する装置。
【請求項２】
前記一対の細径導線は、その線径が０．０８〜０．５ミリメートルであることを特徴とする請求項１に記載した発光素子を用いて空間中に立体造形を表示する装置。
【請求項３】
前記空間中において前記一対の細径導線の組をそれぞれ張設する方向が異なることを特徴とする請求項１に記載した発光素子を用いて空間中に立体造形を表示する装置。
【請求項４】
前記発光素子は、直方体状の本体部分の１つの側面に露出した発光要素と、この発光要素の裏面側に設けられて前記一対の細径導線にそれぞれ導電接続される接続部とを有していることを特徴とする請求項１に記載した発光素子を用いて空間中に立体造形を表示する装置。
【請求項５】
前記支持手段は、前記一対の細径導線の組における前記発光素子がそれぞれ前記空間中で向く方向を調整するべく、前記一対の細径導線の向きをそれぞれ調整する方向調整手段を有していることを特徴とする請求項１に記載した発光素子を用いて空間中に立体造形を表示する装置。
【請求項６】
前記支持手段は、前記発光素子が前記空間中においてそれぞれ指定の位置を占めるように、前記一対の細径導線の組の前記空間内における前後方向および左右方向の位置をそれぞれ調整するための位置調整手段を有していることを特徴とする請求項１に記載した発光素子を用いて空間中に立体造形を表示する装置。
【請求項７】
前記支持手段は、前記発光素子が前記空間中においてそれぞれ指定の位置を占めるように、前記一対の細径導線の組を前記空間内における張設方向の位置をそれぞれ調整するための第２の位置調整手段を有していることを特徴とする請求項１に記載した発光素子を用いて空間中に立体造形を表示する装置。
【請求項８】
前記支持手段は、前記一対の細径導線の組が前記空間内で弛まないように張力を負荷する張力負荷手段を有していることを特徴とする請求項１に記載した発光素子を用いて空間中に立体造形を表示する装置。
【請求項９】
前記支持手段は、前記一対の細径導線の組を空間内においてその張設方向や前後方向および左右方向に変位させるための駆動手段を有していることを特徴とする請求項１に記載した発光素子を用いて空間中に立体造形を表示する装置。
【請求項１０】
前記電力供給手段は、前記一対の細径導線の組毎にそれぞれ異なる電力を供給できるように構成されていることを特徴とする請求項１に記載した発光素子を用いて空間中に立体造形を表示する装置。
【発明の詳細な説明】
【技術分野】
【０００１】
本発明は、ＬＥＤ等の発光素子を用いて空間中に立体造形を表示する装置に関し、より詳しくは、空間中の所定位置にそれぞれ配設した複数の発光素子を点灯させることにより暗い空間中に立体造形を浮かび上がらせて芸術的に表現する技術に関する。
【背景技術】
【０００２】
従来、ＬＥＤ（発光ダイオード）を点灯させることにより、平面的な模様や立体的な造形を空間中に浮かび上がらせる様々な装置が知られている。
その最も一般的な態様は、微小電球やＬＥＤ等の発光素子を一定の間隔で電線に装着したいわゆる電飾ケーブルを、クリスマスツリーや人形等の表面に巻き付けるものである。
また、動物等の形態を模して製作した枠体の表面に発光素子を配設することにより、動物等の形態を暗い空間中に浮かび上がらせるようにしたものもある（例えば、下記特許文献１、２を参照）。
【０００３】
また、複数の発光素子を装着した帯状の発光ユニットを左右方向に並べて吊り下げることにより「すだれ」状に構成したイルミネーション装置も知られている（例えば、下記特許文献３、４を参照）。
【０００４】
さらに、左右方向に並べて吊り下げた複数の発光部によって「すだれ」を構成するとともに、発光素子から放射された光を散乱させることによって全方位から視認できるようにした全方位表示装置も知られている（下記特許文献５を参照）。
このとき、この特許文献５の［００２５］段落には、平面状に構成された「すだれ」を前後方向に複数枚重ねることによって３次元表示を行うことが記載されている。
【先行技術文献】
【特許文献】
【０００５】
【特許文献１】特開２００９−１１９７４０号公報（図６〜図８）
【特許文献２】実用新案登録第３１０２２８９号公報
【特許文献３】特開２００８−１４５７４７号公報（図６）
【特許文献４】特開２００１−３０６０１３号公報（図１、図３）
【特許文献５】特開２００２−２３６７２号公報（［００２５］段落）
【発明の概要】
【発明が解決しようとする課題】
【０００６】
しかしながら、上記特許文献１，２に記載されているものは、いずれもクリスマスツリーや動物等を模した枠体といった立体造形の表面に発光素子を配置するものであり、発光素子から放射された光によってクリスマスツリーや枠体が照明されて暗い空間中に浮かび上がるため、芸術性に優れた立体造形の表示には適していない。
【０００７】
また、上記特許文献３に記載されているものは、透明なフィルム材から帯状に形成されたシート材の表面にＬＥＤを装着するとともに、複数のシート材を左右方向に並べて吊り下げて「すだれ」を構成するものである。
同様に、上記特許文献４に記載されているものも、合成樹脂製の可撓性を有した帯状のフレーム上に複数のＬＥＤを装着するとともに、複数のフレームを左右方向に並べて吊り下げて「すだれ」を構成するものである。
これにより、この「すだれ」を前後方向に並べると、手前の「すだれ」によって後方の「すだれ」が隠れてしまうばかりでなく、後方の「すだれ」上のＬＥＤから放射された光が手前側の「すだれ」と干渉したり乱反射したりする。
したがって、このような構造の「すだれ」を前後方向に並べても、空間中に立体的な造形を表示することはできない。
【０００８】
さらに、上記特許文献５に記載されているものは、支持部材から吊り下げた複数本の発光部によって「すだれ」を構成するものである。
このとき、この「すだれ」は、球状の光散乱体を用いて全方位に光を出射させる構造であるため、この「すだれ」を前後方向に並べると手前側の「すだれ」によって後方の「すだれ」が隠れてしまう。
また、発光素子から放射された光を全方位に散乱させる構造であるため、手前側の発光素子から放射された光と後方の発光素子から放射された光とが重なり合って、光りの塊が出現するため、立体的な造形を空間中に表示することは到底不可能である。
【０００９】
これに対して本発明は、ＬＥＤ等の発光素子を点灯させて暗い空間中に立体造形を幻想的に浮かび上がらせるためには、点灯させた多数の発光素子によって光の塊が出現しないように、またどの方向から見ても立体造形が美しく表示されるように、発光素子の配置や支持構造に様々な工夫が必要であるという、本願の発明者が見出した新たな知見に基づくものである。
【００１０】
すなわち、本発明の目的は、上述した従来技術が有する問題点を解消し、ＬＥＤ等の発光素子を点灯させて暗い空間中に立体造形を幻想的に浮かび上がらせることにより芸術性に優れた表現を可能とする、新規な立体造形表示装置を提供することにある。
【課題を解決するための手段】
【００１１】
上記の課題を解決する本発明は、
空間中に配設した複数の発光素子を点灯させて立体造形を表示する装置であって、
平行に延びる一対の細径導線の組を前記空間中に多数組張設してなる細径導線群と、
前記空間中に前記立体造形を表示するために必要な位置にそれぞれ位置するように、前記一対の細径導線間にそれぞれ架設された複数の発光素子と、
前記一対の細径導線の組をそれぞれ支持して前記空間中に張設する支持手段と、
前記一対の細径導線の組にそれぞれ電力を供給して前記発光素子を発光させる電力供給手段と、を備えることを特徴とする。
【００１２】
このとき、一対の細径導線は、その線径を０．０８〜０．５ミリメートルとすることが好ましい。
また、細径導線の色調は、暗い空間中に立体造形を表示する場合には黒色等の暗い色調とすることが好ましく、明るい空間中に立体造形を表示する場合には銅線の金属色のように明るい色調とすることが好ましい。
また、空間中において一対の細径導線の組を張設する方向は、表示する立体造形の形態に合わせてそれぞれ異ならせることができる。
【００１３】
すなわち、本発明の発光素子を用いて空間中に立体造形を表示する装置は、空間中に張設した多数組の細径導線群によって発光素子を空間中に支持するとともに、各組の細径導線に電力を供給して発光素子を点灯させることにより空間中に立体造形を表示する構造である。
このとき、複数の発光素子は細径導線群によってそれぞれ空間中に支持されているから、従来技術における「すだれ」とは異なり、後方で点灯している発光素子から放射された光が、手前側に位置する細径導線によって隠されて視認できなくなることはない。
また、従来技術における「すだれ」のように、後方で点灯している発光素子から放射された光が手前側の細径銅線と干渉したり乱反射したりすることがない。
加えて、複数の発光素子を空間中に支持している細径導線には、それぞれ発光素子の重量に起因したねじれ、あるいは製作途中に生じるねじれが発生して、複数の発光素子の向きにばらつきが生じるから、複数の発光素子から放射される光の向きにもまたばらつきが生じる。
これにより、本発明の立体造形表示装置においては、空間中に表示されている立体造形をある方向から見たときに、ある発光素子は強く発光し他の発光素子は弱く発光しているように見えるから、立体造形が光の塊となってぼやけて見えることは無く、かつどの方向からも立体造形を良好に視認することができる。
したがって、点灯している発光素子によって空間中に立体造形を浮かび上がらせて、芸術性に優れた幻想的な表現を達成することができる。
【００１４】
なお、発光素子として、微小電球やＬＥＤを用いることができるが、発光要素の大きさが小さいＬＥＤを用いることが好ましい。
【００１５】
また、支持手段には、一対の細径導線の各組における発光素子がそれぞれ空間中で向く方向を調整するべく、一対の細径導線の向きをそれぞれ調整する方向調整手段を設ける。
これにより、細径導線群によって支持されている多数の発光素子における各発光要素の向きを、個別に設定することができるから、立体造形の各部分の発光強度を様々に異ならせて、立体造形の各部にメリハリを持たせた表現とすることができる。
【００１６】
また、支持手段には、発光素子が空間中においてそれぞれ指定の位置を占めるように、一対の細径導線の組の空間内における前後方向および左右方向の位置をそれぞれ調整するための位置調整手段を設けることができる。
【００１７】
また、支持手段には、発光素子が空間中においてそれぞれ指定の位置を占めるように、一対の細径導線の組の空間内における張設方向の位置をそれぞれ調整するための第２の位置調整手段を設けることができる。
なお、この第２の位置調整手段は、本発明の表示装置の架台と支持手段との間に介装したシムや、架台と支持手段との間に螺装したボルト等によって達成することができる。
【００１８】
さらに、支持手段には、一対の細径導線の組が空間内で真っ直ぐ延びるように張力を負荷する張力負荷手段を設けることが好ましい。
この張力調整手段は、一対の細径導線の組の下端に取り付けた錘や、架台と支持手段との間に螺装したボルトによって達成することができる。
【００１９】
加えて、支持手段には、一対の細径導線の組を空間内において上下方向、前後方向および左右方向に往復変位させるための駆動手段を設けることができる。
これにより、空間内に表示する立体造形が例えば翼を広げた鳥である場合には、翼の部分を表現している複数の発光素子をそれぞれ上下方向に往復変位させることにより、鳥が羽ばたいている状態を表現することが可能となる。
また、空間内に表示する立体造形が例えば馬である場合には、その脚の部分を表現している複数の発光素子をそれぞれ上下方向、前後方向に往復変位させることにより、馬が走っている状態を表現することが可能となる。
【００２０】
加えて、電力供給手段は、複数の発光素子がそれぞれ異なる照度で発光するように、一対の細径導線の各組にそれぞれ異なる電力を供給できるように構成することが好ましい。
これにより、空間中に表示する立体造形の各部分の発光照度にメリハリを持たせることができるから、さらに芸術性の高い表現を達成することができる。
【発明の効果】
【００２１】
すなわち、本発明によれば、発光素子を点灯させて空間中に立体造形を幻想的に浮かび上がらせることによって芸術性に優れた表現を可能とする、新規な立体造形表示装置を提供することができる。
【図面の簡単な説明】
【００２２】
【図１】本発明の立体造形表示装置の一実施形態を示す斜視図。
【図２】本発明の立体造形表示装置が立体造形を表示している状態を示す斜視図。
【図３】図１に示し立体造形表示装置の要部を示す断面図。
【図４】図１に示した発光ユニットを示す斜視図。
【図５】発光ユニットの変形例を示す斜視図。
【図６】本発明の立体造形表示装置の他の実施形態を示す要部断面図。
【発明を実施するための形態】
【００２３】
以下、図１〜図６を参照し、本発明の発光素子を用いて空間中に立体造形を表示する装置の各実施形態について詳細に説明する。
なお、以下の説明においては、同一の部分には同一の符号を用いて重複した説明を省略するとともに、鉛直方向を上下方向と言う。
【００２４】
第１実施形態
まず最初に図１〜図５を参照し、第１実施形態の立体造形表示装置について説明する。
【００２５】
本第１実施形態の立体造形表示装置１００は、上下一対の架台１，２の間に画成された空間Ｓの内部で上下方向に互いに平行に延びる多数の細径導線群１０と、これらの細径導線群１０によって支持された多数のＬＥＤ（発光素子）１５と、これらのＬＥＤ１５に電力を供給する電力供給手段１６とを備えている。
【００２６】
これにより、空間Ｓを暗くした状態で多数のＬＥＤ１５を点灯させると、図２に模式的に示したように、多数のＬＥＤ１５から放射された光によって、暗闇の中に立体造形Ｃを浮かび上がらせることができる。
なお、図２に示した立体造形Ｃは、図示を簡単なものとするために立方体となっているが、他の形態の立体造形、例えば人体、鳥、馬等の複雑な形態を表現することができることは言うまでもない。
【００２７】
一方、細径導線群１０は、互いに平行に延びる一対の細径導線１１ａ，１１ｂの組を多数組み合わせたものである。
そして、各組の一対の細径導線１１ａ，１１ｂには、空間Ｓ中に立体造形Ｃを表示するために必要な位置に位置するように、複数のＬＥＤ１５がそれぞれ位置決めされて架設されている。
このとき、一対の細径導線１１ａ，１１ｂは、その線径を０．０８〜０．５ミリメートルとすることが好ましい。
また、細径導線の色調は、暗い空間中に立体造形を表示する場合に備えて、黒色等の暗い色調とする。
【００２８】
また、ＬＥＤ１５は、図３および図４に示したように、直方体状の本体部分の１つの側面に露出した発光要素１５ａと、この発光要素１５ａの裏面側に設けられて一対の細径導線１１ａ，１１ｂにそれぞれ半田付けされて導電接続される接続部１５ｂ，１５ｃとを有する形態のＬＥＤとなっている。
そして、多数のＬＥＤ１５は、図３および図４に示したように、その前後方向の向きがそれぞれ異なるように、一対の細径導線１１ａ，１１ｂにそれぞれ架設されている。
なお、図５に示した変形例のように、多数のＬＥＤ１５の前後方向の向きを揃えて一対の細径導線１１ａ，１１ｂにそれぞれ架設することもできる。
【００２９】
これにより、暗い空間Ｓの内部でＬＥＤ１５を点灯させると、発光要素１５ａに対向する表側からはＬＥＤ１５の点灯を視認できるが、接続部１５ｂ，１５ｃに対向する裏側からはＬＥＤ１５の点灯を視認することはできない。
さらに、点灯しているＬＥＤ１５の発光要素１５ａを斜め前方から見ると、真正面から見た場合に比較して、ＬＥＤ１５が少ない光量で発光しているように見える。
これにより、多数のＬＥＤ１５を一斉に点灯させても、空間Ｓ中の立体造形Ｃが光の塊となってぼやけて見えることは無く、かつどの方向からも立体造形Ｃを良好に視認することが可能となる。
【００３０】
また、一対の細径導線１１ａ，１１ｂの上下の端部には、非導電性の材料から製作された円盤状の上側支持部材１２および下側支持部材１３がそれぞれ取り付けられている。
そして、上側支持部材１２は、上側架台１に多数凹設されている円形凹部１ａの底面上に載置されて嵌合し、一対の細径導線１１ａ，１１ｂの各組をそれぞれ前後方向および左右方向に位置決めしている。
すなわち、上側架台１に凹設された多数の円形凹部１ａが、一対の細径導線１１ａ，１１ｂの各組をそれぞれ前後方向および左右方向に位置決めするための位置決め手段を構成している。
【００３１】
なお、上側架台１に多数凹設されている円形凹部１ａの底面と円盤状の上側支持部材１２の下面との間に複数枚のシム（図示せず）を介装することにより、一対の細径導線１１ａ，１１ｂをその張設方向（上下方向）に位置決めすることができる。
すなわち、これらのシムが、細径導線群１０を張設方向に位置決めするための第２の位置決め手段を構成する。
なお、上側架台１と円盤状の上側支持部材１２との間に介装したボルト（図示せず）のねじ込み量を調整することにより、一対の細径導線１１ａ，１１ｂの各組をその張設方向（上下方向）に位置決めすることもできる。
【００３２】
さらに、上側架台１に凹設された多数の円形凹部１ａに、円盤状の上側支持部材１２を嵌め込む向きを変更することにより、一対の細径導線１１ａ，１１ｂの各組におけるＬＥＤ１５がそれぞれ空間Ｓ中で向く方向を調整することができる。
すなわち、上側架台１に凹設された多数の円形凹部１ａと円盤状の上側支持部材１２とが、一対の細径導線１１ａ，１１ｂの各組の方向をそれぞれ調整する方向調整手段を構成している。
これにより、図１に示した第１実施形態の立体造形表示装置１００においては、一対の細径導線１１ａ，１１ｂの各組にそれぞれ架設されている複数のＬＥＤ１５が空間Ｓ中において向く方向を、一対の細径導線１１ａ，１１ｂの各組毎にそれぞれ異ならせることができる。
【００３３】
また、円盤状の下側支持部材１３は、下側架台２に貫設されて上下方向に延びる円形の貫通孔２ａの内部に上下方向にスライド自在に嵌合している。
さらに、円盤状の下側支持部材１３には、鉛等の金属材料から製作された所定の重量の錘（図示せず）が内蔵されている。
これにより、一対の細径導線１１ａ，１１ｂの各組は、上下の架台１，２の間で上下方向にピンと張った状態で延びることになる。
すなわち、下側支持部材１３は、一対の細径導線１１ａ，１１ｂに張力を負荷して上下方向に真っ直ぐに延びるようにする張力負荷手段を構成している。
なお、下側架台２と円盤状の下側支持部材１３との間に介装したボルト（図示せず）のねじ込み量を調整することにより、一対の細径導線１１ａ，１１ｂに機械的に張力を負荷することもできる。
あるいは、下側架台２と円盤状の下側支持部材１３との間に介装したコイルばね（図示せず）により、一対の細径導線１１ａ，１１ｂに機械的に張力を負荷することもできる。
【００３４】
さらに、図３に示したように、一対の細径導線１１ａ，１１ｂの各組は互いに並列に接続されて電力供給手段１６に接続されている。
これにより、一対の細径導線１１ａ，１１ｂの各組にそれぞれ供給される直流電力はほぼ同一となる。
しかしながら、空間Ｓ中に表示する立体造形Ｃの形態によっては、一対の細径導線１１ａ，１１ｂのある組におけるＬＥＤ１５の数が増加し、その組におけるＬＥＤ１５がそれぞれ放射する光量が低下するおそれがある。
この場合は、その組の細径導線１１ａ，１１ｂに大きな電力を供給することにより、光量の低下を防止することができる。
【００３５】
さらに、複数の電力供給手段１６を設けることにより、一対の細径導線１１ａ，１１ｂの各組にそれぞれ供給する電力量を個別に変更することもできる。
これにより、一対の細径導線１１ａ，１１ｂの各組におけるＬＥＤ１５がそれぞれ放射する光量を積極的に変更することができるから、空間Ｓ中に表示する立体造形Ｃの各部分にメリハリを持たせた表現が可能となる。
【００３６】
すなわち、本第１実施形態の立体造形表示装置１００は、空間Ｓ中に張設した多数組の細径導線群１０によってＬＥＤ１５を空間Ｓ中に支持するとともに、各組の細径導線１１ａ，１１ｂに電力を供給して各ＬＥＤ１５をそれぞれ点灯させることにより空間Ｓ中に立体造形Ｃを表示する構造である。
このとき、複数のＬＥＤ１５は細径導線群１０によって空間Ｓ中に支持されているから、向こう側で点灯しているＬＥＤ１５が手前側に位置する細径導線１１ａ，１１ｂによって隠されて視認できなくなることがない。
これにより、点灯した多数のＬＥＤ１５によって暗い空間Ｓ中に立体造形Ｃを浮かび上がらせることができるから、芸術性に優れた幻想的な表現を達成することができる。
【００３７】
また、本第１実施形態の立体造形表示装置１００においては、多数のＬＥＤ１５の空間Ｓ中における前後方向、左右方向、上下方向の位置が正確に位置決めされ、かつ各ＬＥＤ１５の発光素子１５ａが空間Ｓ中において向く方向もまた正確に定められている。
これにより、各ＬＥＤを点灯させたときに空間Ｓ中に表れる立体造形Ｃが光の塊となって見えることは無く、どの方向からも立体造形Ｃを良好に視認することができる。
【００３８】
さらに、一対の細径導線１１ａ，１１ｂの各組に供給する電力量を調整することにより、立体造形Ｃの各部分のＬＥＤ１５がそれぞれ放射する光量を様々に異ならせることができるから、立体造形Ｃの各部にメリハリを持たせた表現とすることができる。
【００３９】
第２実施形態
次に図６を参照し、第２実施形態の立体造形表示装置１５０について説明する。
【００４０】
本第２実施形態の立体造形表示装置１５０においては、上側架台３０に上下方向に延びる円筒状の案内部３１を突設されるとともに、下側架台３５にも上下方向に延びる円筒状の案内部３６が突設されている。
そして、上側の案内部３１に円盤状の上側支持部材３が上下方向にスライド自在に嵌合するとともに、下側の案内部３６に円盤状の下側支持部材４が上下方向にスライド自在に嵌合している。
さらに、上側架台３０には、一対の細径導線１１ａ，１１ｂの各組をそれぞれ上下方向に往復変位させるためのサーボモータ４０がそれぞれ配設されている。
【００４１】
これにより、各サーボモータ４０を作動させると、一対の細径導線１１ａ，１１ｂの各組が、図６中に太い矢印で示したようにそれぞれ上下方向に往復変位するから、一対の細径導線１１ａ，１１ｂの各組にそれぞれ設けられているＬＥＤ１５をそれぞれ上下方向に往復変位させることができる。
したがって、空間Ｓ内に表示する立体造形Ｃが、例えば翼を広げた鳥である場合には、翼の部分を表現している複数のＬＥＤ１５をそれぞれ上下方向に変位させることにより、鳥が羽ばたいている状態を表現することができる。
【００４２】
以上、本発明の立体造形表示装置の各実施形態について詳しく説明したが、本発明は上述した実施形態によって限定されるものではなく、種々の変更が可能であることは言うまでもない。
【００４３】
例えば、上述した第１および第２実施形態においては一対の細径導線１１ａ，１１ｂの各組を、それぞれ上下方向に延びるように空間Ｓ中に張設している。
しかしながら、張力負荷手段を用いることにより一対の細径導線１１ａ，１１ｂの各組を空間Ｓ中で真っ直ぐに延びるように張設することができるから、一対の細径導線１１ａ，１１ｂの各組を空間Ｓ中で斜めに延びるように、あるいは水平に延びるように張設することもできる。
【００４４】
また、上述した第２実施形態においては、一対の細径導線１１ａ，１１ｂの組を駆動手段４０によって上下方向に往復変位させている。
これに対して、駆動手段の構成を変更することにより、一対の細径導線１１ａ，１１ｂの組を上下方向ばかりでなく、前後方向や左右方向に往復変位させることもできる。
【００４５】
さらに、上述した第１および第２実施形態においては、直方体状の形態のＬＥＤ１５を用いているが、半球形のＬＥＤ等、その他の形態のＬＥＤを用いることができることは言うまでもない。
加えて、立体造形Ｃの各部分毎に異なる色の光りを放射するＬＥＤを用いることにより、立体造形Ｃの表現にメリハリを持たせることもできる。
【００４６】
加えて、上述した第１実施形態においては、上側架台１に凹設した多数の円形凹部１ａと円盤状の上側支持部材１２とによって、一対の細径導線１１ａ，１１ｂの各組の方向をそれぞれ調整する方向調整手段を構成している。
このとき、一対の細径導線１１ａ，１１ｂの各組の方向を予め決定しておくことができるならば、上側架台１と上側支持部材１２を一体化することもできる。
具体的に説明すると、一対の細径導線１１ａ，１１ｂの上端部をそれぞれ挿通する一組の貫通孔を、予め向きを特定して上側架台１にそれぞれ貫設しておけば、これらの貫通孔に一対の細径導線１１ａ，１１ｂの各組をそれぞれ挿通することにより、一対の細径導線１１ａ，１１ｂの各組の方向をそれぞれ特定することができる。
【符号の説明】
【００４７】
１  上側の架台
２  下側の架台
１０  細径導線群
１１ａ，１１ｂ  細径導線
１２  上側支持部材
１３  下側支持部材
１５  発光素子（ＬＥＤ）
１５ａ  発光要素
１５ｂ，１５ｃ  接続部
１６  電力供給手段
１００  第１実施形態の立体造形表示装置
２００  第２実施形態の立体造形表示装置
【図１】
2011171242.tif 000003
【図２】
2011171242.tif 000004
【図３】
2011171242.tif 000005
【図４】
2011171242.tif 000006
【図５】
2011171242.tif 000007
【図６】
2011171242.tif 000008